(57)【要約】【課題】バックル本体とバックル本体に係合可能に挿入される係止部材とからなるバックルにおいて、特殊な引き手金具、鍵及び磁石等の開錠用の付属物を有することのないもので、容易に取り外しができないバックルに関し、特に介護用衣服に用いられる介護衣服用バックル及び介護用衣服を提供する。【解決手段】バックル本体とバックル本体に係合可能に挿入される係止部材とからなるバックルにおいて、バックル本体はベースとケースとを具備し、ベースは底面部から折曲される中央側面部と前方側面部と当接片とからなり、中央側面部には軸片を有し、前方側面部には係止片及び嵌合部を有してなり、ケースは上面部と長孔及び嵌合部を有する側面部とからなり、係止部材は突起部、係止部を有して先端部を有するよう折曲されてなるものであって、バックル本体のスライド機構により、中央側面部の軸片を中心としてケースが回動できることを特徴とする介護衣服用バックル。【選択図】  図１
2009285312.tif 000002
【特許請求の範囲】
【請求項１】
バックル本体と前記バックル本体に係合可能に挿入される係止部材とからなるバックルにおいて、
前記バックル本体は、ベースとケースとを具備し、
前記ベースは、底面部から折曲される中央側面部と前方側面部と当接片とからなり、前記中央側面部には軸片を有し、前記前方側面部には係止片及び嵌合部を有してなり、
前記ケースは、上面部と、長孔及び嵌合部を有する側面部とからなり、
前記係止部材は、突起部、係止部を有して、先端部を有するよう折曲されてなるものであって、
前記バックル本体のスライド機構によって、前記中央側面部の軸片を中心として前記ケースが回動できることを特徴とする介護衣服用バックル。
【請求項２】
バックル本体と前記バックル本体に係合可能に挿入される係止部材とからなるバックルにおいて、
前記バックル本体の前記スライド機構は、前記ベースの前記軸片と係合される前記ケースの長孔に沿って前記ケースをスライドさせ、前記ベースの前記嵌合部に嵌合される前記ケースの前記嵌合部を嵌脱させることを特徴とする請求項１に記載の介護衣服用バックル。
【請求項３】
請求項１及び請求項２に記載の介護衣服用バックルを具備したことを特徴とする介護用衣服。
【発明の詳細な説明】
【技術分野】
【０００１】
本発明は、特殊な引き手金具、鍵及び磁石等の開錠用の付属物を有することのないもので、容易に取り外しができないバックルに関し、特に介護用衣服に用いられる介護衣服用バックル及び介護用衣服に関するものである。
【背景技術】
【０００２】
痴呆症患者のように、自己の判断が欠如又は不十分な患者は、就寝時や夏季の発汗時等にいたずらに着衣を引っ張ったりして、勝手にスライドファスナーの引き手を移動させて脱衣したりすることがしばしば見られる。
【０００３】
一般に痴呆症患者には、就寝時や夏季の発汗時等にいたずらに着衣を引っ張ったりして脱衣しようとしたり、時や場所等を考慮せずに脱衣しようとする行為を未然に抑制するために、ロック付きねまき又はロック付きつなぎねまき（以下、ロック付きねまきという）が着用されることがある。このロック付きねまきの一つとして、ねまきの袖、フロント、股部などにロック機能ファスナーを取り付けたものが知られている。
しかしながら、従来のロック付きねまきでは、ボタンの中央部を押すとロックが外れるために、痴呆症患者が何かの拍子にこの中央部を押すとロックが勝手に外れたり、あるいは中央部を押すとロックが外れることを一度知ってしまうとロックを自分で外してしまうために、ロック付きねまきとしての機能が充分に果たせなくなる。その結果、就寝時や夏季の発汗時等にいたずらに着衣を引っ張ったりして脱衣しようとしたり、時や場所等を考慮せずに脱衣しようとする行為を未然あるいは完全に防ぐことができないという問題があった。
【０００４】
このような問題を解消するために、受け金具とラッチとを係合した状態で磁性材料で形成した係止部材により係止し、該係止部材を磁石の磁力で動作させて前記係止を開放することにより、軽量かつ小型で簡易ロック付き留め具が公知である。（例えば、特許文献１参照）
【０００５】
また、出願人は以前より、痴呆症患者等、第三者の介護が必要な患者用の衣服に関するもので、スライドファスナー部に改良を施した介護患者用衣服に関する発明を完成させている。（例えば、特許文献２参照）
【特許文献１】特開２００５−２３０３５８号公報
【特許文献２】特開２０００−２１２８１１号公報
【発明の開示】
【発明が解決しようとする課題】
【０００６】
特許文献１に係る発明は、受け金具とラッチとを係合した状態で係止する係止部材を磁性材料で形成し、該係止部材を磁力で動作させることにより受け金具とラッチとの係止を開放し取り外しすることができるので、受け金具とラッチとの係止の開放を磁石で簡易にできる。これにより、受け金具とラッチとの係止の開閉を、磁石の磁力で外側から操作することによりできるので、作業負担と手間が軽減できる。また、受け金具とラッチとの係止機構がこのように磁石の磁力操作によりできるように構成されているので、留め具の構造を簡単にすることができ、これにより留め具の小型化と軽量化が得られるものである
【０００７】
特許文献１において、磁石の磁力で外側から操作することにより、受け金具とラッチとの係止の開放を容易に行うことができるものであるが、受け金具とラッチとの係止の開放には磁石が必須となり、磁石がない場合には受け金具とラッチとの係止の開放を行うことができないものである。よって、痴呆症患者の担当者は常に磁石を持ち合わせていなければならないことになる。また、例えば、担当者が磁石を衣服のポケットに入れて歩行していた際、机等の磁性材料を含むものの近くを通る時に磁石の磁力が大きい場合には、衣服のポケット内の磁石が作用して、衣服ごと机等に吸着されてしまう。また、これによって、磁石と机等との間に手を挟むなどして怪我をしてしまうことも考えられ、いかに磁力が弱い場合であっても、危険を伴うことになる。
【０００８】
そこで、本発明はこのような問題点を解決するものであって、特殊な引き手金具、鍵及び磁石等の開錠用の付属物を有することのないもので、容易に取り外しができないバックルに関し、特に介護用衣服に用いられる介護衣服用バックル及び介護用衣服を提供することを課題とする。
【課題を解決するための手段】
【０００９】
前記問題点を解決するために、本発明の請求項１に記載の発明の介護衣服用バックルは、バックル本体と前記バックル本体に係合可能に挿入される係止部材とからなるバックルにおいて、前記バックル本体は、ベースとケースとを具備し、前記ベースは、底面部から折曲される中央側面部と前方側面部と当接片とからなり、前記中央側面部には軸片を有し、前記前方側面部には係止片及び嵌合部を有してなり、前記ケースは、上面部と、長孔及び嵌合部を有する側面部とからなり、前記係止部材は、突起部、係止部を有して、先端部を有するよう折曲されてなるものであって、前記バックル本体のスライド機構によって、前記中央側面部の軸片を中心として前記ケースが回動できることを特徴とするものである。
【００１０】
また、本発明の請求項２に記載の発明の介護衣服用バックルは、請求項１に記載の介護衣服用バックルにおいて、前記バックル本体の前記スライド機構は、前記ベースの前記軸片と係合される前記ケースの長孔に沿って前記ケースをスライドさせ、前記ベースの前記嵌合部に嵌合される前記ケースの前記嵌合部を嵌脱させることを特徴とするものである。
【００１１】
また、本発明の請求項３に記載の発明の介護用衣服は、請求項１及び請求項２に記載の介護衣服用バックルを具備したことを特徴とするものである。
（作用）
【００１２】
請求項１記載の介護衣服用バックルに係る発明では、前記バックル本体のスライド機構によって、前記中央側面部の軸片を中心として前記ケースが回動することとしているので、前記バックル本体において、前記ケースと前記ベースとの間に開口部を設けることができるようになる。
【００１３】
請求項２記載の介護衣服用バックルに係る発明では、前記バックル本体の前記スライド機構を、前記ベースの前記軸片と係合される前記ケースの長孔に沿って前記ケースをスライドさせ、前記ベースの前記嵌合部に嵌合される前記ケースの前記嵌合部を嵌脱させることとしているので、前記ケースをスライドさせても前記ケースの前記嵌合部を嵌脱させなければ、前記中央側面部の軸片を中心として前記ケースが回動させることができない。
【００１４】
請求項３記載の介護用衣服に係る発明では、請求項１及び請求項２に記載の介護衣服用バックルを具備したことで、痴呆症患者のように、自己の判断が欠如又は不十分な患者は、前記介護衣服用バックルに係止されている係止部材を容易に取り外すことができない。
【発明の効果】
【００１５】
請求項１の発明によれば、バックル本体と前記バックル本体に係合可能に挿入される係止部材とからなるバックルにおいて、前記バックル本体は、ベースとケースとを具備し、前記ベースは、底面部から折曲される中央側面部と前方側面部と当接片とからなり、前記中央側面部には軸片を有し、前記前方側面部には係止片及び嵌合部を有してなり、前記ケースは、上面部と、長孔及び嵌合部を有する側面部とからなり、前記係止部材は、突起部、係止部を有して、先端部を有するよう折曲されてなるものであって、前記バックル本体のスライド機構によって、前記中央側面部の軸片を中心として前記ケースが回動できることとしているので、前記バックル本体において、前記ケースと前記ベースとの間に開口部を設けることができるようになり、前記バックル本体に係合された係止部材を前記開口部から取り外すことができるようになる。
【００１６】
請求項２の発明によれば、請求項１に記載の介護衣服用バックルにおいて、前記バックル本体の前記スライド機構を、前記ベースの前記軸片と係合される前記ケースの長孔に沿って前記ケースをスライドさせ、前記ベースの前記嵌合部に嵌合される前記ケースの前記嵌合部を嵌脱させることとしているので、前記ケースをスライドさせても前記ケースの前記嵌合部を嵌脱させなければ、前記中央側面部の軸片を中心として前記ケースが回動させることができない。よって、前記介護衣服用バックルに係止されている係止部材を容易に取り外すことができない。
【００１７】
請求項３の発明によれば、請求項１及び請求項２に記載の介護衣服用バックルを具備したことで、痴呆症患者のように、自己の判断が欠如又は不十分な患者は、前記介護衣服用バックルに係止されている係止部材を容易に取り外すことができない。
よって、自己の判断が欠如又は不十分な患者における、就寝時や夏季の発汗時等にいたずらに着衣を引っ張ったりして脱衣しようとしたり、時や場所等を考慮せずに脱衣しようとする行為等を未然に抑制することができるようになる。一方、患者の担当者レベルにおいては、十分にその機構を理解することができるもので、介護時においても特殊な引き手金具、鍵及び磁石等の開錠用の付属物を有することなく、前記介護衣服用バックルに係止されている係止部材を容易に取り外すことができる。
【００１８】
以下、本発明の実施の形態における介護衣服用バックルを図面に基づいて説明する。
【実施例１】
【００１９】
本発明の介護衣服用バックルの実施例１について図１乃至図９に基づいて説明する。
【００２０】
図１及び図２に示すように、ベース１は、所定の板厚の弾性を有する金属板を折曲することにより形成され、主に底面部１ａ、中央側面部１ｂ、前方側面部１ｄ、側片部１ｇ及び当接片１ｉより構成されている。
前記底面部１ａは、略長方形からなり、一端側には略長方形の取付用貫通穴１ｈを有する。また、前記取付用貫通穴１ｈから前記前方側面部１ｄ方向に所定の幅を設けた後、前記取付用貫通穴１ｈよりも小さい略長方形の貫通穴１ｊを有する。また、前記貫通穴１ｊにおける前記底面部１ａの他端側には、略正方形の前記当接片１ｉが略垂直に折曲して設けられている。
また、前記底面部１ａの長さ方向の両側には、平面視において略台形の前記側片部１ｇが設けられ、その一端は、前記貫通穴１ｊの前記当接片１ｉを備えない側の一端片とほぼ同一直線上に位置するように設けられている。また、前記側片部１ｇは前記当接片１ｉと同方向に僅かに折曲されていることが望ましい。
前記中央側面部１ｂは、前記底面部１ａの長さ方向における両側のほぼ中央に設けられ、前記前方側面部１ｄは、前記底面部１ａにおける前記取付用貫通穴１ｈを有さない他端部側の長さ方向における両側に設けられており、両者ともに、前記当接片１ｉと同方向に、前記当接片１ｉより長く略垂直に折曲され設けられている。前記中央側面部１ｂ及び前記前方側面部１ｄの高さは、同じであることが望ましい。
また、前記中央側面部１ｂにおける前記側片部１ｇ側の一端片の高さ方向の中央部には、前記底面部１ａにおける幅方向の外側に略垂直に折曲させた軸片１ｃが設けられている。前記軸片１ｃは、略長方形からなり、前記底面部１ａにおける幅方向の長さは、前記側片部１ｇより短ければよい。
また、前記前方側面部１ｄは略Ｌ字状からなり、その先端部である係止片１ｅは、前記底面部１ａにおける幅方向の内側へ折曲されている。この際、折曲された前記係止片１ｅは、折曲されたその先端部が前記底面部１ａにおける幅方向の両側縁部より少なくとも内側にあればよい。また、前記軸片１ｃと同様の高さ方向位置には嵌合貫通穴１ｆが設けられている。
【００２１】
図１に示すように、ケース２は、所定の板厚の金属板を略垂直に折曲することにより形成され、主に上面部２ａ及び側面部２ｂからなるケース状のものである。
前記上面部２ａは、平坦からなる略長方形状であって、長さ方向における両端部から側面部２ｂが略垂直に折曲されている。また、前記側面部２ｂの一端部には長孔２ｃが、他端部には前記ケース２の内側に凸を有する嵌合凸部２ｄがそれぞれ設けられている。
前記嵌合凸部２ｄは、前記ベース１における前記前方側面部１ｄに設けられた前記嵌合貫通穴１ｆに嵌合させるために設けられており、その凸部の大きさは前記嵌合貫通穴１ｆより小さければよいものである。
前記長孔２ｃは、前記ベース１における前記軸片１ｃに係合させるために設けられており、その幅方向は前記軸片１ｃより大きければよく、長さ方向においては前記ケース２をスライドさせて前記嵌合凸部２ｄが前記嵌合貫通穴１ｆに嵌合し得るだけの寸法があればよいものである。
前記ケース２の長さ方向は、前記ベース１における前記前方側面部１ｄから前記側片部１ｇまでを覆設し得る大きさであればよく、幅方向においては、前記ケース２における前記側面部２ｂの内側面が前記ベース１における前記中央側面部１ｂ及び前記前方側面部１ｄの外側面と干渉しない大きさであればよいが、その際、前記ベース１における前記軸片１ｃは前記ケース２における前記長孔２ｃより突出していることが望ましい。
また、前記側面部２ｂの高さ方向は、前記ベース１に係合された際に、前記中央側面部１ｂ及び前記前方側面部１ｄの上端部、前記側片部１ｇと干渉する大きさであればよい。
【００２２】
図１及び図３に示すように、係止部材３は、所定の板厚の金属板を折曲することにより形成される。
前記係止部材３は、所定の高さを有するよう、先端部３ａを中心として略Ｕ字状に折曲させたものであって、その形状は所定の幅を有する前記先端部３ａから外側に向かって、Ｒ形状の突起部３ｂを有した後、内側へ所定寸法の係止部３ｃを有して、斜辺部３ｄ、直線部３ｅ及び連結紐４を挟持して固定するために、先端部３ａを中心として略Ｕ字状の内側方向に略垂直に折曲された端部３ｆからなるものである。
前記係止部材３の高さは、ベース１に係止された状態において、前記中央側面部１ｂ及び前記前方側面部１ｄの高さより低ければよいものである。
また、前記係止部材３における前記Ｒ形状の突起部３ｂ及び前記直線部３ｅの幅は、前記ベース１の幅と同寸法であることが望ましい。
また、前記係止部３ｃは、前記前方側面部１ｄにおける前記係止片１ｅが係止し得るように切欠かれていればよいものである。
【００２３】
また、連結紐４は主に布製のものからなり、前記係止部材３の端部に先端部３ａを中心として略Ｕ字状の内側方向に略垂直に折曲された端部３ｆによって挟持され固定される。
【００２４】
図４等に示すバックル本体５は、図１の矢印に示すようにして前記ベース１は前記ケース２に係合される。前記ベース１における前記中央側面部１ｂの前記軸片１ｃは、前記ケース２における前記側面部２ｂの前記長孔２ｃに係合され、前記ケース２は前記軸片１ｃを軸として、一定範囲において、回動自在となる。後に、前記ケース２における前記側面部２ｂの前記長孔２ｃに沿って、前記ケース２を前記ベース１における前記取付用貫通穴１ｈの方向へスライドさせ、前記ケース２における前記嵌合凸部２ｄを前記ベース１における前記嵌合貫通穴１ｆに嵌合させることによって、前記バックル本体５は形成される。
【００２５】
次に、本発明の介護衣服用バックルにおける前記係止部材３の前記バックル本体５への取り付け及び取り外しについて、図４乃至図８に基づいて説明する。
【００２６】
本発明の介護衣服用バックルにおける前記係止部材３は、図４乃至図６のようにして前記バックル本体５へ取り付けられる。
図４及び図５（ａ）に示す矢印方向に、前記係止部材３は、前記先端部３ａより前記バックル本体５へ挿入される。
前記係止部材３が前記直線部３ｅまで挿入され始めると、図５（ｂ）に示すように、前記突起部３ｂは、前記ベース１に設けられた前記係止片１ｅの内側面と干渉されることになるが、所定の付加を加えることで、前記突起部３ｂは前記係止片１ｅを押圧し、前記バックル本体５の外側へ押し広げるようにして、図６（ａ）に示すように前記バックル本体５に係合される。このとき、前記ベース１は弾性を有する金属板、例えばステンレス鋼板で形成されているため、前記係止片１ｅは前記突起部３ｂによって、前記バックル本体５の外側へ押し広げられることがあっても、その後に復元される。これにより、前記係止部材３は前記係止部３ｃが前記突起部３ｂと当接することで、前記バックル本体５より外れることはない。また、係合された後には、前記係止部材３における前記先端部３ａが前記ベース１に設けられた前記当接片１ｉと当接することによって、前記係止部材３は所定寸法より挿入されることはない。
【００２７】
本発明の介護衣服用バックルにおける前記係止部材３は、図７及び図８のようにして前記バックル本体５から取り外される。
前記係止部材３が前記バックル本体５に係止された状態で、図７（ａ）に示す矢印方向に、所定の付加を加えて、前記ケース２を前記長孔２ｃに沿ってスライドさせると、図７（ｂ）に示すように、前記ケース２に設けられた前記嵌合凸部２ｄは、前記ベース１に設けられた前記前方側面部１ｄの前記嵌合貫通穴１ｆから外れることになる。この状態で、前記ベース１における前記軸片１ｃを軸として、前記ケース２を矢印方向に回動させることができる。よって、図８に示すように、前記ケース２を前記ベース１の上方に回動させることができるので、それによって生じた開口部５ａより、前記係止部材３を図に示す矢印方向に取り外すことができるようになる。
【００２８】
また、再度取り付け作業を行うには、逆の手順を行うことによって、前記バックル本体５は再度使用可能となる。すなわち、前記バックル本体５において、前記ベース１における前記軸片１ｃを軸として、取り外し時と逆方向に前記ケース２を回動させた後、図７（ａ）に示す矢印方向と逆方向に前記ケース２をスライドさせて、前記ケース２に設けられた前記嵌合凸部２ｄを前記ベース１に設けられた前記前方側面部１ｄの前記嵌合貫通穴１ｆに嵌合させることで、再度使用可能状態となる。
【００２９】
本発明の介護衣服用バックルは、前記ベース１に設けられた前記取付用貫通穴１ｈ及び前記連結紐４を現状の縫製手段によって、例えば、図１０に示すように用いることによって、介護用衣服６として用いることができる。また、図１１に示すように、現状の介護衣服に本願発明の介護衣服用バックルを用いて、新たな介護用衣服７として使用することもできる。また、これらの使用方法に限られず、他の使用方法を用いても問題ではない。
【００３０】
本実施例によれば、前記バックル本体のスライド機構である、前記ベースの前記軸片と係合される前記ケースの長孔に沿って前記ケースをスライドさせ、前記ベースの前記嵌合貫通穴に嵌合される前記ケースの前記嵌合凸部を嵌脱させることによって、前記中央側面部の軸片を中心として前記ケースが回動できることとしているので、前記バックル本体において、前記ケースと前記ベースとの間に開口部を設けることができるようになり、前記バックル本体に係合された係止部材を前記開口部から取り外すことができるようになる。
また、前記介護衣服用バックルを衣服に用いた介護用衣服においては、痴呆症患者のように、自己の判断が欠如又は不十分な患者は、前記介護衣服用バックルに係止されている係止部材を容易に取り外すことができない。
よって、自己の判断が欠如又は不十分な患者における、就寝時や夏季の発汗時等にいたずらに着衣を引っ張ったりして脱衣しようとしたり、時や場所等を考慮せずに脱衣しようとする行為等を未然に抑制することができるようになる。一方、患者の担当者レベルにおいては、十分にその機構を理解することができるもので、介護時においても特殊な引き手金具、鍵及び磁石等の開錠用の付属物を有することなく、前記介護衣服用バックルに係止されている係止部材を容易に取り外すことができる。
【実施例２】
【００３１】
また本実施例においては、前記実施例１における各構成部品の一部においてのみ相違するものであるが、前記実施例１と略同様の作用及び効果を有する。本発明の介護衣服用バックルの実施例２について図１２乃至図１３に基づいて説明する。
【００３２】
本実施例における前記ベース１に設けられた前記当接片１ｉは、図１２に示すように、前記ケース２に設けられた当接片２ｅのように別箇所に設けることもできる。
具体的には、前記当接片２ｅは、前記ケース２において、前記長孔２ｃを有する側の幅方向の一端片の一部を、前記側面部２ｂと同様の方向へ略垂直に折曲させることによりなる。この際、前記当接片２ｅを折曲させる長さは、前記側面部２ｂと同寸法程度であればよく、前記係止部材３の高さ寸法よりも大きければよいものである。
また、図１２において、前記当接片２ｅは、幅方向の一端片の一部にのみ設けられているが、幅方向の全部分を当接片とすることもできる。
また、前記ベース１においては、前記取付用貫通穴１ｈ及び前記当接片１ｉを設けなければよいものである。
【００３３】
図１３に示すように、実施例２における本発明の介護衣服用バックルは、これらの各構成部品を前記実施例１と同様に係合させることによって形成される。
従って、前記実施例１と略同様の作用及び効果を有するもので、前記係止部材３が係合された後においても、前記係止部材３における前記先端部３ａが前記ケース２に設けられた前記当接片２ｅと当接することによって、前記係止部材３は所定寸法より挿入されることはない。
【００３４】
また、前記実施例１及び前記実施例２における前記ケース２の内側に凸を有する前記嵌合凸部２ｄと、前記ベース１における前記前方側面部１ｄの前記嵌合貫通穴１ｆとの関係は相互を入れ替えて、前記嵌合凸部２ｄを嵌合貫通穴、前記嵌合貫通穴１ｆを嵌合凸部とすることもできる。
【００３５】
また、前記実施例１及び前記実施例２においては、主に、介護用衣服に用いるものであったが、鞄の連結部、その他の容易に嵌脱させることを要しない連結箇所にも用いることができる。
【図面の簡単な説明】
【００３６】
【図１】本発明の実施例１における介護衣服用バックルの各構成部品図である。
【図２】本発明の実施例１における介護衣服用バックルの構成部品であるベースの（ａ）平面図、（ｂ）正面図である。
【図３】本発明の実施例１における介護衣服用バックルの構成部品である係止部材及び連結紐の（ａ）平面図、（ｂ）正面図である。
【図４】本発明の実施例１における介護衣服用バックルのバックル本体に係止部材を係合させる前の状態の斜視図である。
【図５】本発明の実施例１における介護衣服用バックルのバックル本体に係止部材を（ａ）係合させる前の平面説明図、（ｂ）係合途中の平面説明図である。
【図６】本発明の実施例１における介護衣服用バックルのバックル本体に係止部材を（ａ）係合させた後の平面説明図、（ｂ）係合させた後の正面図である。
【図７】本発明の実施例１における介護衣服用バックルのバックル本体から係止部材を（ａ）取り外す前の平面説明図、（ｂ）取り外す途中の平面説明図である。
【図８】本発明の実施例１における介護衣服用バックルのバックル本体から係止部材を取り外した後の平面説明図である。
【図９】本発明の実施例１における介護衣服用バックルのバックル本体に係止部材を係合させた後の状態の斜視図である。
【図１０】本発明の実施例１に係る介護衣服用バックルを使用した介護用衣服である。
【図１１】本発明の実施例１に係る介護衣服用バックルを現状の介護用衣服に使用した介護用衣服である。
【図１２】本発明の実施例２における介護衣服用バックルの各構成部品図である。
【図１３】本発明の実施例２における介護衣服用バックルのバックル本体に係止部材を係合させた後の状態の斜視図である。
【符号の説明】
【００３７】
１    ベース
１ａ  底面部
１ｂ  中央側面部
１ｃ  軸片部
１ｄ  前方側面部
１ｅ  係止片
１ｆ  嵌合貫通穴
１ｇ  側片部
１ｈ  取付用貫通穴
１ｉ  当接片
２    ケース
２ａ  上面部
２ｂ  側面部
２ｃ  長孔
２ｄ  嵌合凸部
２ｅ  当接片
３    係止部材
３ａ  先端部
３ｂ  突起部
３ｃ  係止部
３ｄ  斜辺部
３ｅ  直線片
３ｆ  端部
４    連結紐
５    バックル本体
５ａ  開口部
６、７  介護用衣服
【図１】
2009285312.tif 000003
【図２】
2009285312.tif 000004
【図３】
2009285312.tif 000005
【図４】
2009285312.tif 000006
【図５】
2009285312.tif 000007
【図６】
2009285312.tif 000008
【図７】
2009285312.tif 000009
【図８】
2009285312.tif 000010
【図９】
2009285312.tif 000011
【図１０】
2009285312.tif 000012
【図１１】
2009285312.tif 000013
【図１２】
2009285312.tif 000014
【図１３】
2009285312.tif 000015